(57)【要約】【課題】人体の皮膚面の洗浄、例えば化粧落としのための洗顔において、石鹸などと併用した場合に、毛穴の底またはその近傍に埋もれた皮脂または汚れなどを、肌面を傷つけることなく隅々まで綺麗に洗浄する効果に優れ、さらに洗浄の効果を手の感触で確認することが可能で、しかも泡立ち性にも優れた皮膚洗浄用布帛およびその製造方法を提供する。【解決手段】単繊維繊度が０．００１デシテックス以上、１．０デシテックス以下である繊維布の片面に、該繊維布よりも小寸法のメッシュ編地が積層され、該メッシュ編地の周縁部が前記繊維布に対し部分的に封着されて形成されたポケット構造を備えていることを特徴とする皮膚洗浄用布帛。【選択図】図１
2010047860.tif 000002
【特許請求の範囲】
【請求項１】
単繊維繊度が０．００１デシテックス以上、１．０デシテックス以下である繊維布の片面に、該繊維布よりも小寸法のメッシュ編地が積層され、該メッシュ編地の周縁部が前記繊維布に対し部分的に封着されて形成されたポケット構造を備えていることを特徴とする皮膚洗浄用布帛。
【請求項２】
前記繊維布の形状が略正方形であり、かつ、前記メッシュ編地の形状が略直角二等辺三角形であって、前記ポケット構造は、該メッシュ編地の二等辺部が前記繊維布の隣接する二辺部に封着されている、請求項１に記載の皮膚洗浄用布帛。
【請求項３】
前記繊維布および前記メッシュ編地の少なくとも一方がポリエステル系繊維または／およびポリアミド系繊維からなる、請求項１または２に記載の皮膚洗浄用布帛。
【請求項４】
前記繊維布および前記メッシュ編地の少なくとも一方がピリジン系抗菌剤を含有する、請求項１〜３のいずれかに記載の皮膚洗浄用布帛。
【請求項５】
海島構造または剥離構造を有する複合繊維を用いて製織または編成してなる繊維材料を熱水中またはアルカリ液中で処理して海成分を除去または剥離した後、染色処理を行うことにより、単繊維繊度が０．００１デシテックス以上、１．０デシテックス以下である繊維布を調製し、さらに、該繊維布の片面に、該繊維布よりも小寸法のメッシュ編地を積層し、該メッシュ編地の周縁部を前記繊維布に対し部分的に封着してポケット構造を形成することを特徴とする皮膚洗浄用布帛の製造方法。
【請求項６】
前記繊維布を略正方形に形成し、かつ、前記メッシュ編地を略直角二等辺三角形に形成し、該メッシュ編地の二等辺部を前記繊維布の隣接する二辺部に封着して前記ポケット構造を形成する、請求項５に記載の皮膚洗浄用布帛の製造方法。
【請求項７】
前記染色処理とともに、ピリジン系抗菌剤の付与処理を行う、請求項５または６に記載の皮膚洗浄用布帛の製造方法。
【発明の詳細な説明】
【技術分野】
【０００１】
本発明は、人体の皮膚を洗浄する際に石鹸などと併用可能な皮膚洗浄用布帛およびその製造方法に関する。
【背景技術】
【０００２】
従来から、数種の皮膚洗浄用布帛が提案されている。例えば、特許文献１に記載の布帛は、極細繊維布帛のみからなる布帛である。また、特許文献２および３に記載の布帛は、泡立ち性を向上させるために、極細繊維布帛と通気性に優れた布帛（メッシュ編地）を縫い合わせた布帛である。
【特許文献１】特開２００５−０２３４３５号公報
【特許文献２】特開２００６−３３６１４９号公報
【特許文献３】特開２００３−２８９９４０号公報
【発明の開示】
【発明が解決しようとする課題】
【０００３】
特許文献１に記載の布帛は、極細繊維布帛を介した手の感触により皮膚洗浄の効果を確認することができるという利点を有している。また、特許文献２および３の布帛は、極細繊維布帛と通気性に優れた布帛（メッシュ編地）を縫い合わせた二層構造であるため、泡立ち性に優れるという利点を有している。しかし従来、これら２つの利点を兼ね備えた皮膚洗浄用布帛は存在しなかった。
【０００４】
このような現状に鑑み、本発明の課題は、人体の皮膚面の洗浄、例えば化粧落としのための洗顔において、石鹸などと併用した場合に、毛穴の底またはその近傍に埋もれた皮脂または汚れなどを、肌面を傷つけることなく隅々まで綺麗に洗浄する効果に優れ、さらに洗浄の効果を手の感触で確認することが可能で、しかも泡立ち性にも優れた皮膚洗浄用布帛およびその製造方法を提供することにある。
【課題を解決するための手段】
【０００５】
上記課題を解決するために、本発明に係る皮膚洗浄用布帛は、単繊維繊度が０．００１デシテックス以上、１．０デシテックス以下である繊維布（つまり、極細繊維布帛）の片面に、該繊維布よりも小寸法のメッシュ編地が積層され、該メッシュ編地の周縁部が前記繊維布に対し部分的に封着されて形成されたポケット構造を備えていることを特徴とするものからなる。
【０００６】
このような本発明の皮膚洗浄用布帛においては、ポケット構造に固形石鹸などを入れることができ、その状態で布帛を揉むことによって、メッシュ編地に効率的な泡立て機能を持たせることが可能となる。また、メッシュ編地に保持された泡を用いて洗顔などの皮膚洗浄をする際には、ポケット構造に手を入れることによって、極細繊維布帛を介した手の感触により洗浄効果を確認しながら皮膚洗浄を行うことができる。さらに、ポケット構造に手を入れた状態で布帛を手に巻き付けることもできるので、取り扱い性に優れた皮膚洗浄用布帛が実現可能である。
【０００７】
繊維布およびメッシュ編地を形成する繊維の形態は、とくに限定されないが、フィラメントであることが好ましい。このような繊維から、通常の製織方法や編成方法などを用いて、繊維布やメッシュ編地を製造することができる。繊維布の形態は織物または編物でもよく、あるいは不織布でもよいが、布帛を揉んで泡を立てることを考慮すると、織物であることが好ましい。また、泡のきめ細かさを得るために、繊維布は上記単繊維繊度範囲の極細繊維のみから構成されることが好ましいが、本発明の効果を損なわない範囲で上記単繊維繊度範囲外の繊度の繊維を含んでいてもよい。
【０００８】
本発明において、メッシュ編地とは通気性に優れた編地を意味し、その通気性の目安としては、ＪＩＳ Ｌ １０９６ フラジール形法（測定装置：スイス テクステスト社製 型式ＦＸ３３００）による通気量が５０ｃｍ３／ｃｍ２／Ｓ以上、好ましくは２００ｃｍ３／ｃｍ２／Ｓ以上である。メッシュ編地の具体例としては、開口率が１０〜５０％であるメッシュ構造を有する編地や、織組織が模紗織り、からみ織り、ハック織りまたはナシジ織りである編地、編組織がトリコット編である編地などが挙げられる。メッシュ編地は、一層でも二層以上の構造からなるものでもよいが、泡立ち性の観点からは二層以上の構造からなるものであることが好ましい。このような複数層の構造は、単層のメッシュ編地を折り返して形成することもできるし、単に平面形状のメッシュ編地を複数枚重ねて形成することもできる。
【０００９】
また、本発明の皮膚洗浄用布帛は、前記繊維布の形状が略正方形であり、かつ、前記メッシュ編地の形状が略直角二等辺三角形であって、前記ポケット構造は、該メッシュ編地の二等辺部が前記繊維布の隣接する二辺部に封着されている構成とすることができる。このような構成を採用することにより、固形あるいは液状の石鹸や手を入れることができるポケット構造を簡便に形成することが可能となる。
【００１０】
なお、ポケット構造部の形状としては、上記略二等辺三角形の形状には限定されず、他の形状、たとえば半円形や矩形形状であってもよい。このような形状であっても、その周縁部を部分的に封着し、その周縁部の一部や一辺部を封着しないことにより、容易にポケット構造を完成することが可能である。
【００１１】
本発明の皮膚洗浄用布帛において、前記繊維布または前記メッシュ編地またはそれらの両方が、ポリエステル系繊維または／およびポリアミド系繊維からなることが好ましい。ここで、ポリエステル系繊維とは、ポリエチレンテレフタレート、ポリプロピレンテレフタレート、ポリブチレンテレフタレートおよびこれらの共重合体などからなる繊維をいう。また、ポリアミド系繊維とは、ナイロン４、ナイロン６、ナイロン６６およびこれらの共重合体などからなる繊維をいう。これらの繊維を単独または組み合わせて繊維布やメッシュ編地を形成することにより、一旦使用した布帛を洗濯した場合に布帛の寸法変化を小さく抑えることができる。
【００１２】
本発明の皮膚洗浄用布帛において、前記繊維布および前記メッシュ編地の少なくとも一方には、抗菌剤、好ましくはピリジン系抗菌剤を含有させることができる。同じ布帛を用いて何度も皮膚洗浄を行うと、繊維布やメッシュ編地が雑菌などによって汚染されるおそれがあるが、繊維布またはメッシュ編地またはそれらの両方に抗菌剤を含有させることで、製品の耐久性および耐用寿命を向上させることが可能となる。
【００１３】
ピリジン系抗菌剤の具体例としては、２−クロロ−６−トリクロロメチルピリジン、２−クロロ−４−トリクロロメチル−６−メトキシピリジン、２−クロロ−４−トリクロロメチル−６−（２−フリルメトキシ）ピリジン、ジ（４−クロロフェニル）ピリジン、２−ピリジルチオール−１−オキシド亜鉛、ジ（２−ピリジルチオール−１−オキシド）などが挙げられる。また、本発明において使用することが想定される繊維布やメッシュ編地の繊度は２μｍ程度であるため、繊維に対して抗菌剤を吸尽させて十分な抗菌効果を発揮させるためには、抗菌剤の平均粒子径は１μｍ以下であることが好ましい。抗菌剤を含有させる箇所は繊維布およびメッシュ編地のいずれでもよいが、少なくとも繊維布に含有させることが好ましく、併せてメッシュ編地にも含有させることがより好ましい。
【００１４】
また、前記の課題を解決するために、本発明に係る皮膚洗浄用布帛の製造方法は、海島構造または剥離構造を有する複合繊維を用いて製織または編成してなる繊維材料を熱水中またはアルカリ液中で処理して海成分を除去または剥離した後、染色処理を行うことにより、単繊維繊度が０．００１デシテックス以上、１．０デシテックス以下である繊維布を調製し、さらに、該繊維布の片面に、該繊維布よりも小寸法のメッシュ編地を積層し、該メッシュ編地の周縁部を前記繊維布に対し部分的に封着してポケット構造を形成することを特徴とする方法からなる。染色処理は、公知の染料および液流染色機等を用い、公知の方法によって実施することができる。
【００１５】
このような本発明に係る皮膚洗浄用布帛の製造方法によれば、泡立ち性や取り扱い性に優れ、手の感触による洗浄効果の確認が容易な所望の皮膚洗浄用布帛を効率的に製造することができる。また、染色処理により製品に模様を付加することも可能である。
【００１６】
本発明に係る皮膚洗浄用布帛の製造方法においては、前記繊維布を略正方形に形成し、かつ、前記メッシュ編地を略直角二等辺三角形に形成し、該メッシュ編地の二等辺部を前記繊維布の隣接する二辺部に封着して前記ポケット構造を形成することが可能である。このような製造方法を採用することにより、固形石鹸や手を入れることができるポケット構造を、使いやすい形態にて簡便に形成することが可能となる。
【００１７】
ポケット構造を形成する手順としては、たとえば、略同寸法の正方形形状をした繊維布とメッシュ編地を互いに重ね合わせ、繊維布およびメッシュ編地における隣接する二辺部を工業用１本縫いミシンなどで縫い合わせる第一縫製工程を実施した後、縫製されていないメッシュ編地の残り二辺が縫い合わせ部と重なるように、メッシュ編地を略正方形の対角線で折り返し、折り返された編地部分の当該二辺と既に縫い合わされている二辺部とをさらに工業用巻きロックミシンなどで縫い合わせる第二縫製工程を実施するという手順を採用することが可能である。さらに、縫い合わせ箇所を繊維布とメッシュ編地の間に押し込んで、布帛の外面側に露出していた繊維布とメッシュ編地の各表面同士を布帛の内部で向き合わせ、逆に、布帛の内面側に隠れていた繊維布とメッシュ編地の各合わせ面を布帛の外面側に引き出して露出させることにより布帛の内外面を裏返す裏返し工程を、第一縫製工程と第二縫製工程の間に挿入すれば、縫い合わせ箇所を布帛の内部に隠すことができ、製品の使用時における皮膚への刺激を軽減することが可能となる。
【００１８】
たとえば、ポケット構造を形成する好ましい手順としては、以下のような手順を挙げることができる。まず、ミトンとして使う際に必要となる二辺を「工業用１本針本縫いミシン」で縫い合わせる。「工業用巻きロックミシン」で縫い合わせてしまうと、その縫製部分が、洗浄の際に皮膚に当たるため、縫製部分が当たっても皮膚への刺激にならない「工業用１本針本縫いミシン」で縫い合わせる。次に、「工業用１本針本縫いミシン」で縫い合わせた二辺を繊維布とメッシュ編地の間に押し込み、逆に繊維布とメッシュ編地の各合わせ面を布帛の外面側に引き出して露出させることにより布帛の内外面を裏返す。裏返すことで縫い合わせた部分が隠れ、肌への刺激はさらに軽減される。最後に、まだ縫製していない、折り返されたメッシュ編地部分の二辺をほつれ防止のために「工業用巻きロックミシン」で縫製する。
【００１９】
本発明に係る皮膚洗浄用布帛の製造方法においては、抗菌剤の付与処理を行うことも可能である。抗菌剤の付与処理方法としては、バッチ染色法の一種であるパディング法のほか、染色処理の実施とともに繊維表面にピリジン系抗菌剤を付与する方法が好ましい。さらに、乾熱処理工程を追加し、抗菌剤を繊維内部にまで吸尽、含浸させることによって製品の洗濯耐久性を向上させることもできる。このようにして繊維布およびメッシュ編地の少なくとも一方に抗菌剤を含有させることで、製品の耐久性および耐用寿命を向上させることが可能となる。
【発明の効果】
【００２０】
本発明の皮膚洗浄用布帛によれば、人体の皮膚面、例えば化粧落としの洗顔において、該布帛を石鹸などと併用することにより、毛穴の底または近傍に埋もれた皮脂または汚れなどを、肌面を傷つけることなく隅々まで綺麗に落とす効果に優れるだけでなく、その効果を直接手の感触で確認しやすく、かつ、泡立ち性を大幅に向上させることが可能となる。また、本発明の皮膚洗浄用布帛の製造方法によれば、上記のような皮膚洗浄用布帛を簡便に得ることができる。
【発明を実施するための最良の形態】
【００２１】
以下に、本発明の望ましい実施の形態について、図面を参照しながら詳細に説明する。
図１は、本発明の一実施態様に係る皮膚洗浄用布帛の製造工程を説明するための図であり、（Ａ）は繊維布とメッシュ編地の隣接する二辺部を縫い合わせる第一縫製工程を実施した直後の状態を示す平面図、（Ｂ）は第一縫製工程の縫い合わせ部とメッシュ編地の二辺部を縫い合わせる第二縫製工程を経た、本発明に係る皮膚洗浄用布帛の完成状態を示す平面図である。図１（Ａ）において、メッシュ編地３は所定の極細繊維からなる繊維布２の上に重ねられており、図の左側と下側の二辺には第一縫製工程の縫い合わせ部４が形成されている。この縫い合わせには、前述の如く「工業用１本針本縫いミシン」等を使用することが好ましい。なお、図の上側と右側の二辺については、繊維布２とメッシュ編地３が縫い合わせられていないので、一点鎖線で示された対角線でメッシュ編地３を折り返して縫い合わせ部４の上に折り返されたメッシュ編地３部分を重ねることにより三角形形状のポケットを形成することができる。また、形成された縫い合わせ部４を繊維布２とメッシュ編地３の間に押し込み、逆に繊維布２とメッシュ編地３の各合わせ面を布帛１の外面側に引き出して露出させて布帛１の内外面を裏返すことにより、第一縫製工程による縫い合わせ部４を布帛１の内部側に隠すことも可能である。
【００２２】
図１（Ｂ）においては、正方形形状の繊維布２に、上述の折り返しにより二層構造に形成されたメッシュ編地３が第二縫製工程の縫い合わせ部５で縫い合わされて二等辺三角形形状をなすポケット構造部６が形成され、目標とする皮膚洗浄用布帛１が完成されている。上記のように布帛１の内外面を裏返した後に第二縫製工程を実施する場合には、この第二縫製工程には前述のごとく「工業用ロック巻きミシン」等を使用すればよい。このように形成されたポケット構造部６の入口６ａ側から固形石鹸や液状石鹸を入れ、布帛１を揉むことによって石鹸の泡を効率的に発生させることができる。このようにして発生させた泡を用いて顔面などの皮膚を洗浄する際には、ポケット構造部６の入口６ａ側から手を挿入することができる。布帛１をミトンのように扱い、繊維布２側を皮膚に接触させて擦ることにより、洗浄効果を手の感触で確認しながら皮膚の洗浄を行うことができる。
【実施例】
【００２３】
以下に、本発明の効果を比較例との対比において説明するが、本発明はこれらの実施例に限定されるものではない。
〔繊維布の仕様〕
トータル繊度が６６デシテックス、９フィラメント（７０島／フィラメント）の海島型ポリエステル複合繊維を平織した生地の海成分を除去して得られた極細繊維布帛を使用した高密度織物からなる繊維布を用いた。繊維布の単繊維繊度は０．０７〜０．０８デシテックス、生地厚は０．１８ｍｍ、ウェールは１２７本／インチ、コースは１５４本／インチであった。
【００２４】
〔メッシュ編地の仕様〕
メッシュ編地は、繊度３３デシテックス、１２フィラメントのポリエステル繊維をトリコット編機で編成した二層の編地（編地の二層構造は、図１（Ａ）、（Ｂ）に示した編地の折り返しにより形成した。）からなるメッシュ編地を用いた。
【００２５】
〔泡立ち性試験〕
図１（Ｂ）の布帛１をぬるま湯（３５〜４０℃）に３分間浸し、脱水せずに重量を測定した後、繊維布２とメッシュ編地３からなるポケット構造内に、液状石鹸としての「ダヴ（ユニリーバ社、登録商標）  ビューティーモイスチャー洗顔フォーム」を１ｇ（実施例１）、または固形石鹸としての「ダヴ（ユニリーバ社、登録商標）  ビューティバー洗顔石鹸」を０．５ｇ（実施例２）の分量で装填し、布帛１を３０秒間または６０秒間揉んで泡を立てた。発生した泡をスプーンで捕捉し、１００ｍｌビーカーに集めて泡の体積および重量を測定し、さらに目視により泡の大きさを確認した。
【００２６】
〔比較例〕
比較のため、本発明の皮膚洗浄用布帛全てを使用せずに、（１）繊維布のみからなる布帛、（２）繊維布とメッシュ編地を重ねて外縁を縫い合わせたポケット構造のない布帛、（３）人の手、を使用して泡を発生させる試験を行った。（１）および（２）では布帛を実施例と同様にぬるま湯に浸した後、石鹸を布帛の中央に乗せて包み込むようにして揉むことにより泡を発生させた。（３）では、石鹸を水１０ｍＬとともに手に取って揉むことにより泡を発生させた。
比較例１    液状石鹸／布帛（１）
比較例２    液状石鹸／布帛（２）
比較例３    液状石鹸／人の手
比較例４    固形石鹸／布帛（１）
比較例５    固形石鹸／布帛（２）
比較例６    固形石鹸／人の手
【００２７】
泡立ち性試験の結果を表１および表２に示す。表１および表２によれば、本発明の皮膚洗浄用布帛において、大量の泡が早く発生し、かつ泡の大きさがきめ細かいことがわかる。泡立ち性試験の結果からもわかるように、本発明の皮膚洗浄用布帛によれば、効率的かつ迅速な皮膚洗浄を行うことが可能となる。
【００２８】
【表１】
2010047860.tif 000003
【００２９】
【表２】
2010047860.tif 000004
【産業上の利用可能性】
【００３０】
本発明に係る皮膚洗浄用布帛およびその製造方法は、人体の皮膚面の洗浄、例えば化粧落としのための洗顔において石鹸などと併用可能な皮膚洗浄用布帛として好適に用いられる。
【図面の簡単な説明】
【００３１】
【図１】本発明の一実施態様に係る皮膚洗浄用布帛の製造工程を説明しており、（Ａ）は第一縫製工程の直後の状態を示す平面図、（Ｂ）は完成状態を示す平面図である。
【符号の説明】
【００３２】
１  皮膚洗浄用布帛
２  繊維布
３  メッシュ編地
４、５  縫い合わせ部
６  ポケット構造部
６ａ  ポケット構造部の入口
【図１】
2010047860.tif 000005